(57)【要約】【課題】  登録された検索対象に関する詳細情報を開示し、閲覧・検索を可能とするウェブサイト内で表示される、前記検索対象に関する広告用映像の配信管理方法およびシステムであって、登録されている検索対象のそれぞれの詳細情報へのアクセスの可能性を増大させることが可能な技術を提供すること。【解決手段】  広告映像の配信中に該広告映像を特定する操作がウェブユーザによって行われた際、該広告映像に関連するアーティストの個別情報を該ウェブユーザの表示画面に表示させるように配信する。【選択図】      図４
2009110361.tif 000002
【特許請求の範囲】
【請求項１】
検索・閲覧の対象となる登録したアーティストに関する個別情報及び前記個別情報へのアクセスを促す広告映像を蓄積・管理するとともに、ウェブサイトの表示画面中に設けられた動画エリア内に前記広告映像を順次配信するウェブサイトにおける広告映像の配信管理方法であって、
広告映像の配信中に該広告映像を特定する操作がウェブユーザによって行われた際、該広告映像に関連するアーティストの個別情報を該ウェブユーザの表示画面に表示させるように配信することを特徴とする情報検索ウェブサイトにおける広告映像の配信管理方法。
【請求項２】
前記広告映像に関連するアーティストが複数である場合に、前記複数のアーティストの一覧を表示するインデックス画面を該ウェブユーザの表示画面に表示させ、その後、インデックス画面から一アーティストを特定する操作がウェブユーザによって行われた際、該広告映像に関連するアーティストの個別情報を該ウェブユーザの表示画面に表示させるように配信することを特徴とする請求項１に記載の情報検索ウェブサイトにおける広告映像の配信管理方法。
【請求項３】
各アーティストの個別情報へのアクセス数をカウントし、そのアクセス数を各アーティストの広告映像を前記動画エリアへ配信する際の優位性として反映して、該広告映像を配信することを特徴とする請求項１又は請求項２に記載の情報検索ウェブサイトにおける広告映像の配信管理方法。
【請求項４】
各アーティストの個別情報へのアクセス数をカウントする手段と、
個別情報へのアクセス数を各アーティストの広告映像を前記動画エリアへ配信する際の優位性を勘案して１乃至複数の広告映像を抽出し、動画エリアに配信する編集広告映像を編集する手段と、
前記編集広告映像をネットユーザの表示画面における前記動画エリア表示可能に配信する手段と
を備えることを特徴とする情報検索ウェブサイトにおける広告映像の配信管理システム。
【発明の詳細な説明】
【技術分野】
【０００１】
本発明は、ネットワーク回線に接続されたユーザ端末に配信する広告映像の配信管理方法及びシステムである。なお、前記広告映像は、該ウェブサイトのメインページ等の表示画面における動画エリア内に表示可能に配信される、１つのコマーシャル・コンテンツである。
【背景技術】
【０００２】
インターネット環境が全世界で普及した近年においては、ミュージシャン、芸人、アニメーター、映画監督、声優、俳優など、自己の作品や才能等をアピールしたい人（以下、これらの人を総称して「アーティスト」とする）は、インターネット上に自己のホームページを開いたり、いわゆるブログを活用したりすることで、その作品や才能等を世間にアピールすることが可能である。
【０００３】
しかしながら、インターネット上に開設されているホームページやブログに多数のアクセスを得ることができるのは、既に有名になった一部のアーティストに限られる場合が多く、未だ、知名度が低いアーティストについては、自己のホームページやブログの存在を世間に知らしめ、そこにアクセスして貰うことは極めて困難であって、現実的に将来を閉ざされる状態である。そして、新たなアーティストを発掘したいと思う芸能プロダクション等においても、インターネット上に溢れている情報の中から、有能かつ無名のアーティストに関する情報を得ることは難しい。
【０００４】
そこで、アーティストに対しては自己の才能や作品の発表の場を与え、芸能プロダクション等の職業上での利用者を含むネットユーザには新たなアーティストの発掘や検索の場を提供することを目的として、アーティストは自分自身やその作品等に関する情報（以下、「詳細情報」という）を登録し、ネットワークユーザはその詳細情報を閲覧、検索することができるウェブサイトが運営管理されている（このような人材の管理について、例えば、特許文献１を参照）。
【０００５】
【特許文献１】特開２００５−２３４６７５号公報
【発明の開示】
【発明が解決しようとする課題】
【０００６】
確かに、ウェブサイトにアクセスするネットユーザは、アーティストを検索する意思、新人を発掘する意思等があってアクセスするのであるから、自己の作品や才能等をアピールしたいアーティストにしてみれば、このようなウェブサイトに会員登録しておく価値は大きい。
【０００７】
しかしながら、その登録しているアーティストが多ければ、その他大勢のアーティストの中に自分の詳細情報も埋もれてしまい、結局、ネットユーザの目に触れる機会損失の可能性が高くなることは否めない。よって、自分の詳細情報へのアクセスを促すための宣伝・広告手段が該ウェブサイト内にあることは望ましい。
【０００８】
一方、このようなウェブサイトの運営管理を行なう情報提供者においては、登録しているアーティストの情報の開示と検索がスムーズにすすむように、例えば、別のアーティストの詳細情報にたどり着く前の一覧表示画面に、ジャンル毎で、さらには、五十音順にアーティストを配列したり、アーティストの顔、作品、ＣＤジャケット等の１画像を配置する等の工夫をしたり、さらには、直接入力が可能な場合を想定して、アーティスト名等のキーワードの入力による検索エンジンを設けるといった努力をしている。
【０００９】
しかしながら、前記一覧表示画面においては、１アーティストに割り当てることのできる表示領域やデータ量は極めて小さく、例えば、ミュージシャンや映画・映像のクリエータ等、音（音楽）や映像を作品の要とするアーティストが前記一覧表示画面で自己の才能やその作品に興味を持って貰えるようにプレゼンテーションすることは極めて困難であるのが実状であった。よって、前記一覧表示画面以外に、ウェブユーザに対して強制的に自己アピールをすることのできる手段が求められていた。
【００１０】
このように、ある情報のＤＢ（データベース）を備え、ウェブユーザにその情報の閲覧・検索を許可しているウェブサイトは前述のウェブサイトの他にも多数存在するが、例えば、辞書を検索するようにウェブユーザの求めている「解」が１つであるような場合と異なり、前述のアーティストのような場合のように、ウェブユーザがその情報の閲覧・検索対象となるものの個性や特徴（前記アーティストの場合には才能等）を選択の決め手とするようなものは、そのウェブサイト内に、その詳細情報へのアクセスに導くようなプレゼンテーションの場があれば、ウェブユーザの側からすれば、該ウェブサイトは利用しやすいサイトとなる。
【００１１】
そこで本発明は、登録された検索対象（アーティスト）に関する詳細情報を開示し、閲覧・検索を可能とするウェブサイト内で表示される、前記検索対象に関する広告用映像の配信管理方法およびシステムであって、登録されている検索対象のそれぞれの詳細情報へのアクセスの可能性を増大させることが可能な技術を提供することを目的とする。
【課題を解決するための手段】
【００１２】
上記目的を達成するため、本発明の情報検索ウェブサイトにおける広告映像の配信管理方法は、検索・閲覧の対象となる登録したアーティストに関する個別情報及び前記個別情報へのアクセスを促す広告映像を蓄積・管理するとともに、前記ウェブサイトの表示画面中に設けられた動画エリア内に前記広告映像を順次配信するウェブサイトにおける広告映像の配信管理方法であって、広告映像の配信中に該広告映像を特定する操作がウェブユーザによって行われた際、該広告映像に関連するアーティストの個別情報を該ウェブユーザの表示画面に表示させるように配信することを特徴とする。
【００１３】
また、前記広告映像に関連するアーティストが複数である場合に、前記複数のアーティストの一覧を表示するインデックス画面を該ウェブユーザの表示画面に表示させ、その後、インデックス画面から一アーティストを特定する操作がウェブユーザによって行われた際、該広告映像に関連するアーティストの個別情報を該ウェブユーザの表示画面に表示させるように配信することを特徴とする。
【００１４】
さらに、各アーティストの個別情報へのアクセス数をカウントし、そのアクセス数を各アーティストの広告映像を前記動画エリアへ配信する際の優位性（頻度・配信時間帯）として反映して、該広告映像を配信することを特徴とする。
【００１５】
そして、本発明の情報検索ウェブサイトにおける広告映像の配信管理システムは、各アーティストの個別情報へのアクセス数をカウントする手段と、個別情報へのアクセス数を各アーティストの広告映像を前記動画エリアへ配信する際の優位性を勘案して１乃至複数の広告映像を抽出し、動画エリアに配信する編集広告映像を編集する手段と、前記編集広告映像をネットユーザの表示画面における前記動画エリア表示可能に配信する手段とを備えることを特徴とする。
【発明の効果】
【００１６】
以上説明したように本発明に係る情報検索ウェブサイトにおける広告映像の配信管理方法および配信管理システムによれば、登録されている検索対象のアーティストのそれぞれの詳細情報へのアクセスの可能性を増大させること、および、気になるアーティストの詳細情報へのアクセスを簡便にすることが可能となり、ユーザーにとっても使用感のよい検索ウェブサイトをインターネット上に提供することができる等の優れた効果を奏することができる。
【発明を実施するための最良の形態】
【００１７】
以下、本発明の実施形態について説明する。
【００１８】
本発明の実施の形態に係る広告映像の配信管理システム（以下、「本システム」という）は、インターネット上に設けた情報検索ウェブサイトにおいて、登録されたアーティストの詳細情報を検索・閲覧可能に開示するアーティスト照会システムとともに機能する。
【００１９】
アーティスト照会システムは、アーティスト名、活動ジャンル（例えば、ミュージシャン、写真家、俳優、モデル等の別）等の必須の登録情報の他、活動経歴や代表作品、主なる活動の拠点（東京、大阪等）、リンクさせることが可能なホームページのＵＲＬ等の任意の登録情報を入力したアーティストを会員として登録し、各会員毎に用意したフォルダ内にネットユーザからのアクセスによって公開するそれぞれの作品や前記登録事項を含む詳細情報をネットユーザが検索・閲覧可能に管理するシステムである。
【００２０】
アーティスト照会システムは、トップページに、最上階層としての、アーティストを検索するアーティスト照会サイトのインデックス画面を表示する。例えば、「舞踊家（ダンサー）」の「K氏」の詳細情報を照会する場合であれば、図１に示すような、インターネット上に開設される該ウェブサイトのトップページに表示された前記インデックス画面としての活動ジャンル別の中から「舞踊家（ダンサー）」を選択し、画面上の「舞踊家（ダンサー）」に対応する表示ボタンをクリックする。この操作により、アーティスト照会システムは次に、図２に示すような、下階層として管理する「舞踊家（ダンサー）のアーティスト名の一覧を画面に表示する。なお、登録されているアーティストの一覧表示は、図２においては、五十音順とするが、この五十音順の他、例えば、アーティストの更新履歴の新しい順、アクセス件数の多い順等、様々な表示順による表示が選択可能とされている。そして、各表示画面に表示する項目、例えば、活動ジャンルやアーティスト等が多い場合には、スクロールあるいはページ切り替えにより、全項目を閲覧可能とされている。
【００２１】
そして、五十音順で表示された登録会員の「舞踊家（ダンサー）」の中から「K氏」を選択し、画面上の「Ｋ氏」に対応する表示ボタンをクリックする。これにより、図３に示すような、更なる下階層として管理する「舞踊家（ダンサー）」の「Ｋ氏」の詳細情報を表示する。
【００２２】
また、トップページには、キーワード入力することにより、ウェブサイト内の登録情報を検索可能な検索エンジンの入力部が設けられており、この入力部に目的とするアーティスト名が入力されることにより、直接、その目的のアーティストの詳細情報を表示する。
【００２３】
この詳細情報が表示される最下階層の表示画面には、各アーティストが詳細情報の１つとして添付している作品画像を表示する画像エリアが設けられている。つまり、各アーティストが登録可能な詳細情報としてはテキスト情報に限らず、例えば、許容されたデータ容量の中で、閲覧可能な画像、具体的には、前出の舞踊家のＹ氏の場合には、Ｙ氏が出演した舞踊劇のポスター写真やステージでの舞踊の映像等からなる作品映像を登録してもよい。そして、その作品映像は、詳細情報の表示画面内の画像エリアに表示される。なお、この画像エリアに表示される作品画像は、さらに、画像エリア内をクリックすること等で、ユーザＰＣの表示画面のサイズに合わせた全面表示に切り替わるようにしてもよい。
【００２４】
そして、本システムと協働するアーティスト照会システムにおいては、さらに、トップページ等の検索画面、すなわち、前記最下階層である詳細情報を表示する画面以外の一部領域には、該ウェブサイトの運営管理者側からネットワークを介してユーザ端末に送信される広告映像が組み込まれた編集広告映像が表示される動画エリアが設けられている。
【００２５】
本システムは、この動画エリアに表示される編集広告映像に組み込まれる広告映像の選択と配信を管理するシステムである。
【００２６】
図４は、本発明の実施の形態に係る本システムの構成ブロック図である。
【００２７】
本発明の実施の形態に係る本システムは、図４に示すように、インターネット１上に配設された検索サーバ２、登録したアーティストに関連する情報を記憶する会員ＤＢ３、インターネットを介して前記検索サーバに接続可能な、該ウェブサイトの会員登録をしているアーティストの会員ＰＣ６、および該ウェブサイトを利用してアーティストを閲覧・検索するネットユーザのユーザＰＣ７から構成されている。
【００２８】
そして、前記検索サーバ２は、ユーザＰＣ７からのアクセスによって、該ウェブサイトで登録を管理しているアーティストの情報を提供するサーバであり、制御部１１、メインメモリ１２、記憶部１３、およびインタフェース部１４から構成されている。制御部１１は、記憶部１３に格納されている各種処理プログラムを読み込んでメインメモリ１２にロードし、各種処理プログラムを動作させる。メインメモリ１２は、各種処理プログラム、データ、パラメータ等を一時的に記憶する。記憶部１３は、ハードディスク等の記憶装置で、各種処理プログラム及びそれを動作させるに必要なデータ、パラメータ等を記憶している。インタフェース部１４は、外部のインターネット１、会員ＤＢ３に接続するためのインタフェースである。
【００２９】
ここで、前記各種処理プログラムの中には、前記アーティスト検索システムにより、所望のアーティストの詳細情報の閲覧と検索を実行する為の処理プログラム（閲覧・検索プログラム）の他、本システムにより、アーティストの広告映像を所定の順に配列し、動画エリア内に配信するための編集広告映像を編集する為の処理プログラム（編集広告映像作成プログラム）、前記編集広告映像を動画エリアへ配信する為の処理プログラム（広告映像配信プログラム）、前記動画エリアに配信されている広告映像がクリックされたことを検出し、その広告映像に対応するアーティストの詳細情報を表示する処理プログラム（広告映像−詳細情報リンクプログラム）、各アーティストの個別情報へのアクセスログを記録するとともに、そのアクセス件数をカウントする処理プログラム（アクセスカウントプログラム）等を含む。
【００３０】
そして、本実施形態においては、前記編集広告映像作成プログラムは、個別情報へのアクセス数を各アーティストの広告映像を前記動画エリアへ配信する際の優位性を勘案して１乃至複数の広告映像を抽出し、動画エリア内に配信するための編集広告映像を編集するように構成されている。
【００３１】
ここでいうところの広告映像は、前出の作品映像と異なるものであってもよい。すなわち、広告映像は自己の詳細情報へアクセスを導くための映像であり、作品映像は自己の詳細情報の中で、その作品、個性、才能をアピールするための映像である。よって、広告映像と、作品映像とが同一の物である必要はなく、例えば、広告映像は、ミュージシャンとして登録するアーティストのトークによる自己紹介やコンサートの告知の映像であり、作品映像はこのアーティストの過去のコンサート場面の映像であってもよい。
【００３２】
また、会員ＤＢ３には、各アーティスト毎のファイル（アーティストファイルという）を設け、そのファイルに各アーティストに関する情報を記憶する。記憶される各アーティストに関する情報には、前記詳細情報の他、アーティストの登録時に付与した登録会員ナンバー、広告映像の有無やその広告映像自体が含まれる。例えば、広告映像が登録された場合には、抽出の目安となるフラグを立てるようにしておくとよい。なお、各アーティストに関する情報の該会員データベースに対する蓄積方法、すなわち、アーティストの会員の登録方法については、簡便な方法としては、該ウェブサイト内に登録設定画面をおき、その登録設定画面への入力や、画像データ、映像データ等の添付送信を以て会員登録を受け付け、自動発番等で会員登録ナンバーと、データ更新の為のアクセス権限であるＩＤを付与する方法が考えられる。このようなインターネットを介する会員登録の方法は既に公知となっている方法でよい。また、該ウェブサイトの運営管理者側で用意する場合はともかく、アーティスト自身が用意する場合には、ウェブサイトの運営管理側で配信に関する倫理上、コンプライアンス上のチェックを済ませてから、配信のために会員ＤＢに格納されることが望ましい。また、インターネットを介せずに、入会希望のアーティストが、必要事項を記入した登録用紙と、必要に応じて自己の作品等が納められたＦＤ、ＭＤ等を郵送することで入会を受付け、後日、ウェブサイトの運営管理側から、新規な会員のアーティストに対し、登録会員ナンバー等を連絡するようにしてもよい。また、広告映像については、前述の配信倫理上の制限の他、１本の広告映像の配信時間（編集時間）の制約を課してもよい。また、所定期間（例えば、６ヶ月）の更新がない広告映像に関しては、動画エリア内への配信の対象から削除することも可能である。
【００３３】
ここで、前述のような構成を有する本実施形態の広告映像配信用の処理システムにおける、前記検索サーバ２のメインメモリ１２に格納されている広告映像配信用の処理プログラムによる処理、すなわち、広告映像の配信管理方法について説明する。
【００３４】
広告映像の配信管理方法においては、まず、検索サーバ１においては、前記閲覧・検索プログラムを動作させることにより、該ウェブサイトにアクセスしたネットユーザのネットユーザＰＣに所望のアーティストの情報を配信する他、本実施形態においては、広告映像配信プログラムを動作させることにより、トップページ画面等の検索画面に確保されている動画エリアに、登録しているアーティストが準備している広告映像を組み込んだ編集広告映像を配信する。その際、アクセスカウントプログラムを動作させることによりカウントされたアクセス件数は、アーティストの一覧表示時における配列順や、前述の編集広告映像に組み込まれる広告映像の配信頻度（回数）、広告映像が組み込まれた編集広告映像が配信される配信時間帯の設定等の調整に反映させることができる。このアクセス件数の利用については後述する。そして、前記動画エリアに配信されている広告映像がクリックされた場合には、広告映像−詳細情報リンクプログラムを動作させ、該広告映像を提供したアーティストの詳細情報を表示する。
【００３５】
このようにして、該ウェブサイトのトップページ画面にたどり着いたウェブユーザに対し、半ば強制的に、登録しているアーティストの広告映像を視聴させる状況を形成することができる。
【００３６】
ここで、広告映像配信プログラムにより、各アーティストの広告映像を組み込んだ編集広告映像を作成する具体的な方法について説明する。
【００３７】
各アーティストの広告映像は、前記編集広告映像作成プログラムにより、各アーティストの情報に広告映像が含まれるか否かを表すフラグを手掛かりとして各アーティストファイルから抽出され、管理者側の処理プログラムによって、決められた配信順で編集広告映像に組み込まれる。そして、その編集広告映像が配信時間帯に前記動画エリアに配信される。
【００３８】
ここでいう設定された配信時間帯は、該ウェブサイトの運営管理側において計画する。例えば、特に配信時間帯という枠を設けず、登録しているアーティストの広告映像を循環させて順次配信してもよい。また、ウェブユーザの居住地域を意識した地域時間で１日の２４時間を複数の配信時間帯に分割し、各配信時間帯毎に、配信するアーティストの活動ジャンルを限定するようにしてもよい。具体的には、日本地域の21:00〜24:00までは「ミュージシャン」の活動ジャンルに登録しているアーティストの広告映像を抽出し、編集広告映像に組み込んで、その編集広告映像を配信するようにする。
【００３９】
このような動画エリアへの配信を実行することで、広告映像を準備したアーティストに関しては、少なくとも同じ活動ジャンルに登録した他のアーティストと均等に該ウェブサイトにアクセスしたネットユーザーに対して自己の作品等をアピールする機会が与えられることになる。また、映像を配信できるので、自己の作品や才能をアピールする手段として、音や映像を実際に視聴してもらうことが最適な手段であるアーティストの場合には特に有効な自己アピールの場、自己の詳細情報へアクセスを導くための契機となる。
【００４０】
また、ネットユーザは、該動画エリアに配信される広告映像を視聴し、気に入った作品があったり、アーティストがいた場合には、その広告映像をクリックすれば、該広告映像を提供しているアーティストの詳細情報を得ることができる。つまり、一々、アーティストの詳細情報やその詳細情報にリンクが貼られている各人のＨＰ等にアクセスすることなく、そのアーティストの作品等を映像で視聴することができるので、特に、新人の発掘をしたいウェブユーザにとっては、該ウェブサイトを通して目的を簡便に達成することができる。
【００４１】
各配信時間帯に配信する編集広告映像への組み込み順（この順は、動画エリアへの配信順となる）に関しては、様々な設定が可能である。例えば、前述のように、アクセス件数を前述の編集広告映像に組み込まれる広告映像の配信頻度（回数）に反映させることも可能である。
【００４２】
ここで、前記アクセス件数を本システムに反映させる具体例を説明する。
【００４３】
まず、１つには、前述の編集広告映像に組み込まれる広告映像の配信頻度（回数）について、多くのアクセス件数を獲得したアーティストに優位性を与える方法である。
【００４４】
具体的には、「一定期間における獲得アクセス数／一定期間における総アクセス数」でポイント（％）を算出し、このポイントに応じて、配信頻度のクラス分けを行い、その配信頻度にしたがって、編集広告映像に任意の配信順で組み込むようにする。
【００４５】
例えば、５０人のアーティストの広告映像があり、広告映像を有するＡ氏、Ｂ氏の上記の算出方法で算出したポイントは３ポイント、Ｃ氏、Ｄ氏のポイントが２ポイントであり、他のアーティストについては、一律１ポイント以下であるとする。その場合、３ポイントを獲得したＡ氏、Ｂ氏の広告映像は、１ポイントを獲得した他のアーティストの広告映像の３倍、２ポイントを獲得したＣ氏、Ｄ氏の広告映像は、１ポイントを獲得した他のアーティストの広告映像の２倍の頻度で配信されるように、広告映像配信プログラムにおいて、編集広告映像を作成する。この場合、作成された編集広告映像は、６０本の広告映像のうちＡ氏、Ｂ氏の広告映像については３回（３本）、Ｃ氏、Ｄ氏の広告映像については２回（２本）、その他のアーティストについては１回（１本）づつ配信されるように配列させて組み込まれたものとなる。
【００４６】
このようにして、配信頻度に差をつけることで、各アーティストには動画エリアの配信頻度を獲得すべく、アクセスを稼ぐ努力を期待でき、アーティストのモチベーションを高め、育成に役立てることができる。また、こうして、アクセス件数の多い、人気のアーティストの広告映像を配信することで、該ウェブサイトへの総アクセス数が増加すれば、未だ知名度の低い他のアーティストの広告映像がネットユーザに視聴される機会も増えるし、広告映像を持たない会員のアーティストに関しても、自己の詳細情報へのアクセスを期待できる。
【００４７】
なお、前記ポイントの算出において「一定期間における」とし、アクセス件数の集積期間に制限を設けたのは、人気やアクセスの状況をリアルタイムで反映させるためである。すなわち、数年前に大量に獲得したアクセス件数をもって、動画エリアの利用に優位性を認めない主旨である。例えば、今日時点から前３ヶ月間のアクセス件数を集計する等、そのアクセス件数の集積期間も、プログラム上、任意の設定が可能とされているものとする。
【００４８】
また、前記アクセス件数は、広告映像が組み込まれた編集広告映像が配信される配信時間帯の設定等の調整に反映させることも可能である。具体的には、前述のようにして求めたポイント数が一定ポイント以上となったアーティストの広告映像は、日本地域のネットユーザのアクセス件数が多くなる21:00〜24:00までの間に配信される編集広告映像に組み込み、その他のアーティストの広告映像は、他の時間帯に配信する編集広告映像に組み込む。
【００４９】
さらに、本システムは、複数の登録アーティストが関与する広告映像がクリックされたときには、その広告映像に関与する複数の会員のアーティストを一覧表示させ、その一覧表示の中から、さらに、１人のアーティストが特定されることで、次階層において、そのアーティストの詳細情報を表示する。
【００５０】
例えば、広告映像として、自主映画の１場面を切り取って作成した場合、その自主映像に関与したアーティストが複数人となる場合がある。その場合には、該広告映像をクリックしたときに、先ずは、その広告映像に関連する複数の会員のアーティストの一覧を表示するようにする。例えば、前述のような映画の場合には、映画監督、カメラマン、音楽、メーキャップ、俳優、女優等が一覧で表示される。よって、ネットユーザは、その一覧表示された、該広告映像に関与するアーティストの中で、興味を持ったアーティストの詳細情報へアクセスすればよい。
【００５１】
以上、アーティストとその作品に関する情報を一元管理し前記情報をネットワーク上に公開するウェブサイトにおける、前記登録会員およびその作品の広告用に用意された映像（以下、「広告映像」という）の配信管理方法およびシステムを例にして説明してきたが、情報検索ウェブサイトで検索の対象となり、広告映像の対象となる情報は、アーティストに限るものではない。
【図面の簡単な説明】
【００５２】
【図１】アーティスト照会システムにより展開される検索情報ウェブサイトのトップページに表示されるインデックス画面の一例
【図２】図１のインデックス画面の次に展開される活動ジャンル別の検索画面の一例
【図３】図２の活動ジャンル別の検索画面の次に展開される個別会員（アーティスト）の詳細情報表示画面の一例
【図４】本発明の実施の形態に係る広告映像の配信管理システムの構成ブロック図
【符号の説明】
【００５３】
１  インターネット
２  検索サーバ
３  会員ＤＢ
６  会員ＰＣ
７  ユーザＰＣ
１１  制御部
１２  メインメモリ
１３  記憶部
１４  インタフェース部
【図１】
2009110361.tif 000003
【図２】
2009110361.tif 000004
【図３】
2009110361.tif 000005
【図４】
2009110361.tif 000006